(57)【特許請求の範囲】
【請求項１】
被吊持物が吊り掛けられる吊り棒と、この吊り棒を一対の腕部材間に架橋して支持するハンガー本体とからなり、上記吊り棒の外周面には摩擦係数の大きい滑り止めが備えられてなる吊持用ハンガーであって、上記吊り棒には両端部に軸心回りの相対回転が可能なキャップが設けられている一方、上記腕部材には上記キャップを着脱自在に、かつ、回り止めした状態で保持する棒支持部が設けられ、上記吊り棒と上記キャップとの間には、両者の相対回転に一定の回転抵抗を付与する回転抵抗機構が介設され、上記回転抵抗機構は、上記吊り棒と同心で共回りするとともに、上記キャップが同心で相対回転可能に外嵌される回転抵抗部材を備えて構成され、上記回転抵抗部材の外周面には弾性変形し得る抵抗片が径方向に向けて突設されている一方、上記キャップの内周面には上記抵抗片が当接する抵抗面が形成されていることを特徴とする吊持用ハンガー。
【請求項２】
上記抵抗片は、上記回転抵抗部材の外周面から径方向に突設された合成樹脂製の薄片によって形成されている一方、上記抵抗面は上記キャップの内周面に全周に亘って等ピッチで形成された内歯によって形成され、上記薄片は、先端部が上記内歯間の溝に嵌まり込むように寸法設定されていることを特徴とする請求項１記載の吊持用ハンガー。
【請求項３】
上記棒支持部は、上記腕部材に複数段で設けられていることを特徴とする請求項１または２記載の吊持用ハンガー。
【請求項４】
上記滑り止めは、吊り棒の表面に径方向に突設された状態で長手方向に延びるように、周方向等ピッチで突設された突条によって形成されていることを特徴とする請求項１乃至３のいずれかに記載の吊持用ハンガー。
【発明の詳細な説明】
【０００１】
【発明の属する技術分野】
本発明は、衣類、タオル、シーツあるいは毛布等の被吊持品を吊り掛けて保管する吊持用ハンガーに関するものである。
【０００２】
【従来の技術】
従来、特開平８−２５６９００号公報によって開示された、衣類等を吊持するハンガーが知られている。このハンガーは、頂部にフックを備えた一対の腕杆からなる二股状のハンガー本体と、このハンガー本体の一対の腕杆の間に架橋されたズボンやスカートを掛ける吊り棒とを備えた基本構成を有している。上記吊り棒は、表面に摩擦係数の大きい滑り止めを備えているとともに、両端部には径方向に突設されたリングばね等からなる弾性接触子が取り付けられている。
【０００３】
一方、上記各腕杆には上記弾性接触子を内包した状態で吊り棒を軸支する円筒状の軸受部材が設けられ、弾性接触子を軸受部材に嵌め込むことによって吊り棒が腕杆に軸心回りに回転自在に支持されるようになっている。
【０００４】
そして、円筒状の軸受部材の内周面には全周に亘って内歯が形成され、上記弾性接続子は、その先端部が上記内歯に弾性的に接触して回転抵抗が得られるようになっている。このような構成のハンガーにおいては、衣類を吊り棒に吊り掛けると、表面の滑り止めによって衣類の吊持状態が確実に維持されるとともに、吊持された衣類を上記回転抵抗よりも大きな力で引張ると、内歯に噛み合っている弾性接続子が弾性変形しながら吊り棒は回転し、これによって衣類を吊り棒から引き取ることができる。
【０００５】
【発明が解決しようとする課題】
ところで、特開平８−２５６９００号公報によって開示された上記ハンガーにあっては、吊り棒は、所定の力で回転するようになっているため吊られた衣類を引き取る分には便利であるが、取り外せないようにハンガー本体の腕杆に結合されているため、衣類を吊り棒に掛けるためには、ハンガーを吊持位置から一旦取り外し、一方の手で把持した状態で他方の手に持った衣類をハンガー本体の腕杆と吊り棒との間に通すという面倒な操作を行わなければならず、この面では不便であるという問題点を有していた。
【０００６】
本発明は、上記のような問題点を解決するためになされたものであり、吊り棒に吊持された衣類の引き取り操作の容易さを維持した上で衣類の吊り棒への吊り掛け操作が容易な吊持用ハンガーを提供することを目的としている。
【０００７】
【課題を解決するための手段】
本発明の請求項１記載の吊持用ハンガーは、被吊持物が吊り掛けられる吊り棒と、この吊り棒を一対の腕部材間に架橋して支持するハンガー本体とからなり、上記吊り棒の外周面には摩擦係数の大きい滑り止めが備えられてなる吊持用ハンガーであって、上記吊り棒には両端部に軸心回りの相対回転が可能なキャップが設けられている一方、上記腕部材には上記キャップを着脱自在に、かつ、回り止めした状態で保持する棒支持部が設けられ、上記吊り棒と上記キャップとの間には、両者の相対回転に一定の回転抵抗を付与する回転抵抗機構が介設され、上記回転抵抗機構は、上記吊り棒と同心で共回りするとともに、上記キャップが同心で相対回転可能に外嵌される回転抵抗部材を備えて構成され、上記回転抵抗部材の外周面には弾性変形し得る抵抗片が径方向に向けて突設されている一方、上記キャップの内周面には上記抵抗片が当接する抵抗面が形成されていることを特徴とするものである。
【０００８】
この吊持用ハンガーによれば、吊り棒は、外周面に摩擦係数の大きい滑り止めを備えているため、吊り棒に吊り掛けられた被吊持物は、上記滑り止めによってずり落ちが防止されて安定した吊持状態が維持される。かかる吊り棒は、ハンガー本体の腕部材に設けられた棒支持部に回り止め状態のキャップを介して支持されているとともに、吊り棒とキャップとは相対回転可能になっているため、吊り棒に吊り掛けられた被吊持物の一部を把持して引張ることにより、この引張り力は上記滑り止めを介して吊り棒に周方向に向かう力として伝達され、これによって吊り棒が回転しながら被吊持物は引き取られる。
【０００９】
そして、吊り棒とキャップとの間には、相対回転に一定の回転抵抗を付与する回転抵抗機構が介設されているため、この回転抵抗機構による抵抗の大きさを、吊り棒に吊り掛けられる被吊持物（例えばズボン等の衣類）の予想される重量よりも若干大きく設定しておくことにより、たとえ被吊持物の吊り掛け状態がアンバランスになって、吊り棒を境にした一方の重量が他方の重量よりも大きくなって重量の大きい方に被吊持物がずり落ちようとしても、上記回転抵抗によって吊り棒は回転が阻止され、ずり落ちは防止される。
【００１０】
これに対し、吊り棒に吊り掛けられている被吊持物を引張ると、通常この引張力は衣類等の被吊持物の重量よりも大きいため（すなわち設定された回転抵抗の値よりも大きいため）、吊り棒は回転して吊持されている被吊持物は引き取られ、ハンガーから外される。
【００１１】
そして、吊り棒は、ハンガー本体の腕部材に設けられた棒支持部に対して着脱自在に取り付けられているため、被吊持物をハンガー本体に装着するに際しては、吊り棒を一旦ハンガー本体から取り外してこのフリー状態の吊り棒に二つ折れにした被吊持物を跨がせてから、吊り棒をハンガー本体に装着することにより、被吊持物がハンガーに吊持収納された状態になる。
【００１２】
このように、吊持用ハンガーは、所定の回転抵抗よりも大きい力を加えることによりキャップとの間で相対回転する吊り棒自体が、ハンガー本体に対して着脱自在に装着されているため、ハンガー本体に装着された吊り棒に吊持されている被吊持物のずり落ちを確実に防止するとともに、吊持された被吊持物の吊り棒からの取り外しが容易であるという機能を維持した上で、被吊持物の吊り棒への吊り掛け操作を容易に行うことが可能になる。
【００１３】
また、回転抵抗機構は、吊り棒と同心で共回りするとともに、キャップが同心で相対回転可能に外嵌される回転抵抗部材を備えて構成され、回転抵抗部材の外周面には弾性変形し得る抵抗片が径方向に向けて突設されている一方、キャップの内周面には抵抗片が当接する抵抗面が形成されているため、キャップをハンガー本体の棒支持部に装着して軸心回りの回転を規制した状態で吊り棒を回すと、吊り棒とキャップとの間に介設された回転抵抗部材の抵抗片が、キャップの内周面に設けられた抵抗面に干渉し、これによって吊り棒の回転に対して所定の回転抵抗が付与される。
【００１４】
本発明の請求項２記載の吊持用ハンガーは、請求項１記載の吊持用ハンガーにおいて、上記抵抗片は、上記回転抵抗部材の外周面から径方向に突設された合成樹脂製の薄片によって形成されている一方、上記抵抗面は上記キャップの内周面に全周に亘って等ピッチで形成された内歯によって形成され、上記薄片は、先端部が上記内歯間の溝に嵌まり込むように寸法設定されていることを特徴とするものである。
【００１５】
この吊持用ハンガーによれば、キャップをハンガー本体の棒支持部に装着して軸心回りの回転を規制した状態で吊り棒を回すと、回転抵抗部材の回転に伴って合成樹脂製の薄片が軸心回りに周回し、薄片の先端部がキャップの内周面に形成された内歯の山を乗り越えるときの撓み弾性変形による弾性力で回転抵抗が発生する。そして、薄片が内歯の山を越えると弾性変形が解除されて回転抵抗は消滅し、つぎの内歯の山で回転抵抗が再度生じる。このように吊り棒の回転によって回転抵抗は断続的に発生し、これによって被吊持物を吊り棒から引き取るときには、軽快なクリック感が得られる。
【００１６】
また、薄片の撓みによる弾性力に起因した回転抵抗は、例えば面同士の摺接による摺動抵抗に比べて安定しており、従って、断続して発生する回転抵抗の値は、経時的に平均すると安定したものになる。
【００１７】
本発明の請求項３記載の吊持用ハンガーは、請求項１または２記載の吊持用ハンガーにおいて、上記棒支持部は、上記腕部材に複数段で設けられていることを特徴とするものである。
【００１８】
この吊持用ハンガーによれば、一つのハンガー本体に複数の被吊持物を、上下方向に順次ずらせた積層状態で吊り掛けることができるため、被吊持物に対する収納空間が節約される。
【００１９】
本発明の請求項４記載の吊持用ハンガーは、請求項１乃至３のいずれかに記載の吊持用ハンガーにおいて、上記滑り止めは、吊り棒の表面に径方向に突設された状態で長手方向に延びるように、周方向等ピッチで突設された突条によって形成されていることを特徴とするものである。
【００２０】
この吊持用ハンガーによれば、吊り棒に吊り掛けられた被吊持物は、吊り棒への当接面がずり落ちる方向と直交するように設けられた吊り棒表面の突条に干渉し、これによってずり落ちが確実に防止されとともに、被吊持物を引張ることによってこの引張り力が吊り棒が回転するように吊り棒に確実に伝達される。
【００２１】
【発明の実施の形態】
以下本発明を、図面を基に詳細に説明する。なお、本実施形態においては、プラスチック成形品として多段式ハンガーを挙げている。図１は、本発明に係る多段式ハンガーの一実施形態を示す分解斜視図であり、図２は、その組立て斜視図である。なお、図１および図２において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００２２】
これらの図に示すように、本発明に係る多段式ハンガー（吊持用ハンガー）１０（プラスチック成形品）は、逆Ｕ字形状を呈したハンガー枠体１と、このハンガー枠体１に着脱自在に装着されるハンギングロッド（吊り棒）３と、上記ハンガー枠体１に取り付けられるフック部材４とを備えた基本構成を有している。上記ハンガー枠体１は、図２に示すように、水平方向に延びる横杆１２と、この横杆１２の両端部から垂下した幅方向一対の縦杆（腕部材）１３とからなっている。かかる多段式ハンガー１０は、外観形状が前後および左右でそれぞれ対称に形成されている。
【００２３】
このようなハンガー枠体１は、同一形状の一対の単位成形品２を、成形時のパーティング面１１が互いに当接するように合わせられて形成されている。なお、パーティング面１１とは、所定の金型を用いて単位成形品２を射出成形する際に、上型と下型との当接面の直ぐ内側に形成される面のことであり、二つの単位成形品２のパーティング面１１同士を相互に当接させることによってハンガー枠体１が形成される。
【００２４】
上記単位成形品２は、水平方向に延びる半割れ水平杆２１と、この半割れ水平杆２１の両端部から垂下した一対の半割れ垂直杆２２とからなっている。上記横杆１２は、前後の半割れ水平杆２１がそれぞれのパーティング面１１を当接させた状態で結合されることによって形成され、上記縦杆１３は、前後の半割れ垂直杆２２がそれぞれのパーティング面１１を当接させた状態で結合されることによって形成されている。
【００２５】
かかる単位成形品２は、断面形状が略同一厚み寸法を備えた円弧状に形成され、これによって前後方向の一方の面に、単位成形品２の全長に亘った断面視で円弧状の凹溝２３が形成され、前後の単位成形品２がパーティング面１１同士の接合によって合体した状態で、ハンガー枠体１内に前後の凹溝２３からなる空洞１４が形成されるようになっている。
【００２６】
上記半割れ水平杆２１の中央部には、上方に膨出した半割れ膨出部２４が設けられ、前後の単位成形品２が合体された状態で横杆１２の上部に正面視で上に凸の円弧状の膨出部１５が形成されるようになっている。この膨出部１５に上記フック部材４が装着されている。
【００２７】
また、幅方向一対の半割れ垂直杆２２の対向面には、互いに対向する方向に突設された半割れ支持突片２５が、上下方向に等ピッチで複数個設けられている。各半割れ支持突片２５は、半割れ水平杆２１の対向面に向かってＬ字形状を呈し、前後の単位成形品２が合体された状態で、前後の半割れ支持突片２５が合わされることにより、それらで上方に向かって開いたＵ字溝１６ａを有するロッド支持部（棒支持部）１６が形成されるようになっている。従って、前後の単位成形品２が合体されて形成したハンガー枠体１の幅方向一対の各Ｕ字溝１６ａにハンギングロッド３の両端部を嵌め込むことによって、図２に示すように、幅方向一対の縦杆１３間にハンギングロッド３が装着された状態になる。
【００２８】
図３は、後方に位置した図１に示す単位成形品２の部分拡大斜視図であり、図４は、前方に位置した図１に示す単位成形品２の部分拡大斜視図である。また、図５は、図２のＡ−Ａ線断面図であり、図６は、図２のＢ−Ｂ線断面図である。まず図３に示すように、単位成形品２の凹溝２３には、半割れ水平杆２１の中央部に凹溝２３内に向かって膨出した中央膨出部２６が形成されているとともに、中央膨出部２６の幅方向両端部に対して若干離間した位置から左右の半割れ垂直杆２２の下端部に向けて凹溝２３内に膨出された幅方向一対の膨出条２７とが設けられている。これら中央膨出部２６および膨出条２７が形成されることによって半割れ垂直杆２２の表面側には、図４に示すように、陥没部１７および化粧溝１８が凹設されている。特に上記化粧溝１８によってハンガー枠体１の外観がデザイン的に優れたものになっている。また、上記陥没部１７は、化粧板１７ａによって閉止され、これによってハンガー枠体１の外観の見苦しさが解消されるようにしている。
【００２９】
上記中央膨出部２６は、ハンガー枠体１の上下方向に延びる中心線Ｌに対して左右対称の第１中央膨出部２６ａと第２中央膨出部２６ｂとからなっているとともに、上記膨出条２７は、中心線Ｌに対して左右対称の第１膨出条２７ａと第２膨出条２７ｂとからなっている。
【００３０】
そして、第１中央膨出部２６ａには、図３の前方に向けて二股状の係合突片２８（二股状係合突片２８１）および板状の係合突片２８（板状係合突片２８３）が前方に向けて突設されている一方、第２中央膨出部２６ｂには、中心線Ｌに対する左右対称位置に各係合突片２８に対応した係合孔（係合凹部）２９（二股状係合突片２８１に対応した第１係合孔２９１および板状係合突片２８３に対応した第２係合孔２９２）が穿設されている。上記二股状係合突片２８１の先端部には互いに反対方向に突出した先細りの爪片２８２が設けられているとともに、板状係合突片２８３の先端部には先細りの一つの爪片２８４が設けられている。
【００３１】
これによって、一の単位成形品２と他の単位成形品２とを、パーティング面１１を合わせて合体させることにより、二股状係合突片２８１が第１係合孔２９１に嵌入してその爪片２８２が第１係合孔２９１の縁部に係止されるとともに（図５および図６）、板状係合突片２８３が第２係合孔２９２に嵌入して爪片２８４が第２係合孔２９２の縁部に係止されて一対の単位成形品２は強固に結合されるようになっている。
【００３２】
また、図３における右方の半割れ水平杆２１および半割れ垂直杆２２のパーティング面１１には、外縁部から若干内側に寄った部分に、縁部に沿った案内突条２１１が設けられている一方、左方の半割れ水平杆２１および半割れ垂直杆２２には上記案内突条２１１よりも内側寄りの部分に上記案内突条２１１に対応した嵌入突条２１２が設けられている。そして、一対の単位成形品２がパーティング面１１を接するように合わせられた状態で、嵌入突条２１２が案内突条２１１に案内されつつ凹溝２３内に摺接状態で嵌まり込み、これによって一対の単位成形品２の当接部分に貫通した隙間が形成されないようにしている（図５）。
【００３３】
また、図３における左方の半割れ支持突片２５のパーティング面１１には、水平方向に延びる嵌合溝２５１が凹設されている一方、同右方の半割れ支持突片２５のパーティング面１１には、上記嵌合溝２５１に対応した嵌合突片２５２が突設され、一対の単位成形品２が合体された状態で嵌合突片２５２が嵌合溝２５１に嵌まり込み、これによって上記Ｕ字溝１６が形成されるようになっている。
【００３４】
また、上記半割れ膨出部２４の頂部には半円錐状で上方に突出した半円錐部２４ａが設けられている。この半円錐部２４ａには中心線Ｌ（図３）に沿うように上下方向に延びる装着溝２４ｂが設けられ、二つの単位成形品２が合体された状態で一対の半円錐部２４ａによって円錐部１９が形成されるとともに、この円錐部１９を上下に貫通した装着孔１９ａが形成されるようになっている。
【００３５】
上記ハンギングロッド３は、棒状のロッド本体３１と、このロッド本体３１の幅方向両端部に取り付けられた一対の六角形状キャップ３２とからなっている。各キャップ３２は、回り止めされた状態でハンガー枠体１のＵ字溝１６に着脱自在に装着されるように寸法設定されている。また、上記ロッド本体３１の外周面には長手方向に延びる複数の突条が周方向に等ピッチで設けられており、衣類Ｃをロッド本体３１に掛けた状態で衣類Ｃの滑り落ちが防止されるようになっている。
【００３６】
上記フック部材４は、図１に示すように、上記装着孔１９ａの径寸法より若干小さい径寸法の棒体４１と、この棒体４１の頂部に形成された鈎状のフック４２と、上記棒体４１の下端部に同心で設けられた係止円盤４３とを備えて形成されている。係止円盤４３の径寸法は装着孔１９ａの径寸法より大きく寸法設定され、二つの単位成形品２の合体時に棒体４１を各装着溝２４ｂに嵌め込むことによって、フック部材４は係止円盤４３に抜け止めされた状態で装着孔１９ａに装着されるようになっている。
【００３７】
本実施形態に係る多段式ハンガー１０は、以上詳述したように、ハンガー枠体１の外観形状が前後方向および左右方向のいずれにおいても対称に形成されているとともに、ハンガー枠体１を構成する単位成形品２は、左右方向において中心線Ｌに対して互いに対称な位置の一方に係合用の突部（係合突片２８、嵌入突条２１２および嵌合突片２５２）が突設されているとともに、他方に上記突部が嵌まり込む凹部（係合孔２９、案内突条２１１間の凹部および嵌合溝２５１）が形成されているため、全く同一に構成された一の単位成形品２と他の単位成形品２とを、図１に示すように、それらのパーティング面１１を互いに対向させ後、各パーティング面１１が当接するように両者を合体させることによって各突部が対応した各凹部に嵌まり込み、図２に示すような多段式ハンガー１０が得られる。
【００３８】
つぎに本発明に係るハンギングロッド（吊り棒）について説明する。図７は、本発明に係るハンギングロッドの一実施形態を示す分解斜視図であり、図８は、その組立て斜視図である。また、図９は、図８に示すハンギングロッドのＤ−Ｄ線断面図である。これらの図に示すように、ハンギングロッド３は、ロッド本体３１と、このロッド本体３１の両端部に設けられたキャップ３２と、このキャップ３２に内装されてロッド本体３１との間に介設される回転抵抗部材３３と、上記三者（ロッド本体３１、キャップ３２および回転抵抗部材３３）を結合する結合軸３４とから構成されている。
【００３９】
上記ロッド本体３１は、筒状体によって形成され、両側部を除いた中央部分の外周面に軸方向に延びる突条（滑り止め）３１ａが周方向に等ピッチで複数条設けられ、これらの突条３１ａによる抵抗の増加で吊り掛けられた衣類Ｃが滑り落ちるのを防止している。また、ロッド本体３１は、その端部の内周面に軸方向に延びるように凹設されたキー溝３１ｂを有し、このキー溝３１ｂを介した上記回転抵抗部材３３との結合によって回転抵抗部材３３と軸心回りに一体回転するようになっている。
【００４０】
上記キャップ３２は、外観形状が六角柱状に形成された六角筒部３２ａと、この六角筒部３２ａの外方（図７の右方）端部を閉止した天板３２ｂとを備えて形成されている。上記六角筒部３２ａは、その筒内奥部の内周面に周方向の全周に亘って等ピッチで突設された内歯（抵抗面）３２ｃを有している。また、上記天板３２ｂの中心部分には、対向位置に一対のキー溝３２ｅを備えたキーホール３２ｄが穿設されている。このキーホール３２ｄは、上記結合軸３４が差し通されるものである。
【００４１】
上記回転抵抗部材３３は、外筒３３ａと、この外筒３３ａ内に差し通された内筒３３ｂとの二重構造で構成されている。内筒３３ｂの図７における右端部には外筒３３ａと同径のフランジ３３ｃが設けられ、これによってフランジ３３ｃと外筒３３ａとの間に環状溝３３ｄが形成されている。この環状溝３３ｄには、溝底（すなわち内筒３３ｂの外周面）から径方向に向かって突設された合成樹脂製の腰の強いフィルム（薄片）からなる抵抗片３３ｅが設けられている。この抵抗片３３ｅは、幅方向が内筒３３ｂの軸方向と一致するように環状溝３３ｄ内の溝底に固定され、これによって周方向に弾性変形して撓むようになっている。かかる抵抗片３３ｅは、外筒３３ａの外周面より若干外方に突出するように寸法設定されている。
【００４２】
また、上記外筒３３ａおよびフランジ３３ｃの径寸法は、上記キャップ３２の六角筒部３２ａの内径寸法よりも小さく、かつ、六角筒部３２ａ内に嵌装された状態で上記内歯３２ｃの先端に摺接する程度に設定されている。そして、外筒３３ａが六角筒部３２ａ内に嵌装された状態で、フランジ３３ｃが六角筒部３２ａ内の内歯３２ｃ部分に遊嵌されるとともに、抵抗片３３ｅの先端が内歯３２ｃ間の隙間に嵌まり込み、かつ、外筒３３ａが六角筒部３２ａ内の内歯３２ｃが設けられていない部分に嵌まり込むようになっている。
【００４３】
上記抵抗片３３ｅは、ロッド本体３１を軸心回りに回した場合に、抵抗片３３ｅの先端部が内歯３２ｃを乗り越えるときの弾性変形による回転抵抗を得るためのものであり、衣類Ｃを吊り掛けた状態では、たとえ吊り掛け状態がアンバランスで、ロッド本体３１を境に振り分けられた衣類Ｃの一方の重量が他方より大きくなっても、上記回転抵抗によってロッド本体３１は回転しないが、衣類Ｃの一部を把持して引張ると、容易に回転するように弾性力が設定されている。
【００４４】
また、上記外筒３３ａの外周面には、内歯３２ｃが設けられていない部分の六角筒部３２ａの内径よりも僅かに外径寸法が小さい環状突条３３ａ′が突設されている。かかる環状突条３３ａ′を設けることで、外筒３３ａが六角筒部３２ａ内に嵌装された状態で、六角筒部３２ａの内周面との接触面積が小さくなり、これによって回転抵抗部材３３のキャップ３２内での回転が円滑に行われるようにしている。
【００４５】
また、外筒３３ａの図７における左端部には外筒３３ａの外形寸法よりも径寸法の大きい鍔部３３ａ″が設けられ、この鍔部３３ａ″によって外筒３３ａの六角筒部３２ａ内への過突入が防止されるとともに、ハンギングロッド３の外観視が見苦しくないようにしている。
【００４６】
上記内筒３３ｂは、外径寸法が上記ロッド本体３１の内径寸法よりも僅かに小さく寸法設定されているとともに、上記外筒３３ａは、内径寸法がロッド本体３１の外径寸法よりも僅かに大きく寸法設定されている。これによって外筒３３ａの内周面と内筒３３ｂの外周面との間には、ロッド本体３１が嵌入され得る環状嵌入空間３５が形成されている。従って、ロッド本体３１は、それを内筒３３ｂに外嵌することによって環状嵌入空間３５に嵌まり込み、これによって外筒３３ａに内嵌されるようになっている。
【００４７】
また、内筒３３ｂの外周面には、上記ロッド本体３１のキー溝３１ｂに対応したキー溝３３ｆが凹設されている。そして、ロッド本体３１を環状嵌入空間３５に嵌入するに際し、キー片３６を両キー溝３１ｂ，３３ｆに亘るように装着することによって、ロッド本体３１と回転抵抗部材３３とが軸心回りに共回りするようになっている。
【００４８】
上記結合軸３４は、軸本体３４ａと、この軸本体３４ａの一端部に同心で固定された化粧円盤３４ｂとを備えて形成されている。上記軸本体３４ａは、径寸法が上記キーホール３２ｄおよび内筒３３ｂの内径寸法よりも若干小さく径設定されているとともに、内筒３３ｂより長尺に長さ設定されている。これによって回転抵抗部材３３がキャップ３２内に嵌装された状態で結合軸３４をキーホール３２ｄを介してキャップ３２内に差し通すことにより、軸本体３４ａの先端が回転抵抗部材３３の内筒３３ｂの先端（図７の左方）から外部に突出するようになっている。
【００４９】
上記軸本体３４ａの外周面には、内筒３３ｂの内周面に摺接する３本の環状突条３４ａ′が設けられ、これら環状突条３４ａ′が線接触状態で内筒３３ｂ内周面に接触することによって内筒３３ｂと軸本体３４ａとが円滑に相対回転するようにしている。
【００５０】
また、軸本体３４ａは、先端部に端面が切り込まれて形成した二股部３４ｄを有している。この二股部３４ｄの各二股片には、先窄みで外方に向かって突出した一対の係止突片３４ｅが設けられている。これによってキャップ３２に嵌装された回転抵抗部材３３の内筒３３ｂに軸本体３４ａを差し通した状態で係止突片３４ｅが内筒３３ｂの端縁部に係止され、軸本体３４ａが抜け止めされるようになっている。
【００５１】
また軸本体３４ａは、その基端側（図７の右方）にキャップ３２のキー溝３２ｅに対応した一対のキー突片３４ｃが設けられ、軸本体３４ａをキーホール３２ｄに根本部分まで差し込んだ状態でキー突片３４ｃがキー溝３２ｅに嵌まり込み、これによってキャップ３２と結合軸３４との共回りが規制されるようになっている。
【００５２】
そして、図７に示すようなハンギングロッド３の分解状態において、まず、軸本体３４ａをキャップ３２の天板３２ｂに差し通してキー突片３４ｃをキー溝３２ｅに嵌め込み、ついで回転抵抗部材３３を軸本体３４ａに外嵌してフランジ３３ｃをキャップ３２内の奥部にまで押し込むことによって係止突片３４ｅが内筒３３ｂの端縁に係止され、キャップ３２に回転抵抗部材３３および結合軸３４が組み付けられた状態になる。
【００５３】
ついで内筒３３ｂのキー溝３３ｆにキー片３６を嵌め込んだ状態でこのキー片３６にロッド本体３１側のキー溝３１ｂを合わせるようにしてハンギングロッド３派を内筒３３ｂに外嵌して環状嵌入空間３５の奥部にまで押し込むことにより、図８に示すような組み付けが完了したハンギングロッド３が得られる。
【００５４】
そして、ロッド本体３１と内筒３３ｂとの間に介設されるキー片３６を、圧縮弾性変形し得る、例えば合成樹脂製のものを採用することにより、ロッド本体３１が内筒３３ｂに外嵌された状態でキー片３６の弾性力によって両者間に弾性力が作用し、ロッド本体３１が回転抵抗部材３３から外れ難くなる。
【００５５】
本実施形態のハンギングロッド３は以上のように構成されているので、図８に示すように、キャップ３２をハンガー枠体１のロッド支持部１６に装着した状態でロッド本体３１を軸心回りに回すと、この回転はキー片３６を介して内筒３３ｂに伝達され、回転抵抗部材３３は軸心回りに回転する。この回転によって環状溝３３ｄに設けられた抵抗片３３ｅも軸心回りに一体に回転するが、抵抗片３３ｅの先端側は、内筒３３ｂの内歯３２ｃ間の隙間に嵌まり込んでいるため、ロッド本体３１の回転に際して抵抗片３３ｅは、内歯３２ｃを乗り越えるように弾性変形する必要があり、これによってロッド本体３１の回転に対して抵抗力が形成される。
【００５６】
そして、本発明においては、衣類Ｃをロッド本体３１に吊り掛けた状態では、たとえ衣類Ｃのロッド本体３１を境にした振り分け状態がアンバランスであってもロッド本体３１の回転が抑止されるとともに、ロッド本体３１と吊り掛けられた衣類Ｃとの間の摩擦力の方が、上記抵抗片３３ｅの抵抗力より大きくなるように抵抗片３３ｅの弾性力を設定してあるため、ロッド本体３１に吊り掛けられた衣類Ｃを引張ることによって、抵抗片３３ｅは弾性変形しつつ内歯３２ｃを乗り越えながら軸心回りに回転し、これによるロッド本体３１の回転で衣類はロッド本体３１から外される。
【００５７】
そして、本発明においては、ハンギングロッド３は、キャップ３２をロッド支持部１６に対して挿脱することにより、左右の縦杆１３の間に対して着脱自在になっているため、ハンギングロッド３に衣類Ｃを吊り掛けるに際してはハンギングロッド３をハンガー枠体１から取り外し、これに衣類Ｃを吊り掛けてからハンギングロッド３をハンガー枠体１に装着することができ、衣類Ｃの多段式ハンガー１０への吊り掛け操作が容易になる。
【００５８】
本発明は、以下の実施形態に限定されるものではなく、以下の内容をも包含するものである。
（１）上記の実施形態においては、ハンガーとして一対の縦杆１３間に複数のハンギングロッド３を架橋する多段式ハンガー１０が採用されているが、本発明はハンガーが多段式であることに限定されるものではなく、ハンガー枠体に一つだけのハンギングロッド３が装着される通常のハンガーを採用してもよい。
（２）上記の実施形態においては、多段式ハンガー１０は、ハンガー枠体１に４本のハンギングロッド３を装着し得るように構成されているが、本発明は、ハンガー枠体１に装着し得るハンギングロッド３が４本であることに限定されるものではなく、２本〜３本であってもよいし、５本以上であってもよい。
（３）上記の実施形態においては、キャップ３２の内周面に内歯３２ｃが設けられている一方、回転抵抗部材３３に抵抗片３３ｅが設けられているが、こうする代わりに回転抵抗部材３３の外筒３３ａの外周面に外歯を設ける一方、キャップ３２の内周面に上記外歯に噛合する抵抗片を設けてもよい。
（４）上記の実施形態においては、ロッド支持部１６に回り止め状態で支持されるキャップ３２がロッド本体３１の端部に回転抵抗部材３３を介して外嵌されるように構成されているが、本発明は回り止めとしてキャップ３２を用いることに限定されるものではなく、ロッド本体３１の端部の開口に栓を内嵌するように構成し、この栓を回り止めとして利用してもよい。この場合は、上記実施形態の回転抵抗部材３３に相当する別の回転抵抗部材をロッド本体３１の内周面と栓の外周面とに間に介在させるようにすればよい。
（５）上記の実施形態においては、抵抗片３３ｅは、回転抵抗部材３３の環状溝３３ｄに４片が設けられているが、本発明は抵抗片３３ｅが４片であることに限定されるものではなく、４片未満であってもよいし、５片以上であってもよい。そして、抵抗片３３ｅの設置個数は、その弾性力に応じて設定され、弾性力が大きくなるに従って設置個数は少ない個数で済ませることができる。
（６）上記の実施形態においては、回転抵抗部材３３に合成樹脂製の薄片からなる抵抗片３３ｅが設けられているが、抵抗片としてリング状のばねを採用してもよいし、ゴム等の弾性材料を採用してもよい。
【００５９】
【発明の効果】
本発明の請求項１記載の吊持用ハンガーによれば、まず、ハンガー本体を、吊り棒と、この吊り棒を腕部材間に支持するハンガー本体とから構成し、吊り棒の外周面には摩擦係数の大きい滑り止めを備えた構成としたため、吊り棒に吊り掛けられた被吊持物を、滑り止めによってずり落ちが防止された、安定した吊持状態に維持することができる。かかる吊り棒は、ハンガー本体の腕部材に設けられた棒支持部に回り止め状態のキャップを介して支持されているとともに、吊り棒とキャップとは相対回転可能になっているため、吊り棒に吊り掛けられた被吊持物の一部を把持して引張ることにより、この引張り力は上記滑り止めを介して吊り棒に周方向に向かう力として伝達され、これによって吊り棒を回転させながら被吊持物を吊り棒から引き取ることができる。
【００６０】
そして、吊り棒とキャップとの間には、相対回転に一定の回転抵抗を付与する回転抵抗機構が介設されているため、この回転抵抗機構による抵抗の大きさを、吊り棒に吊り掛けられる被吊持物（例えばズボン等の衣類）の予想される重量よりも若干大きく設定しておくことにより、たとえ被吊持物の吊り掛け状態がアンバランスになり、吊り棒を境にした一方の重量が他方の重量よりも大きくなって重量の大きい方に被吊持物がずり落ちようとしても、上記回転抵抗によって吊り棒は回転が阻止され、被吊持物のずり落ちを確実に防止することができる。
【００６１】
また、吊り棒に吊り掛けられている被吊持物を引張ると、通常この引張力は衣類等の被吊持物の重量よりも大きいため（すなわち設定された回転抵抗の値よりも大きいため）、吊り棒は回転して吊持されている被吊持物は引き取られ、これによって被吊持物をハンガーから取り外すことができる。
【００６２】
そして、吊り棒は、ハンガー本体の腕部材に設けられた棒支持部に対して着脱自在に取り付けられているため、被吊持物をハンガー本体に装着するに際しては、吊り棒を一旦ハンガー本体から取り外してこのフリー状態の吊り棒に二つ折れにした被吊持物を跨がせてから、吊り棒をハンガー本体に装着することにより、被吊持物をハンガーに吊持収納した状態にすることができる。
【００６３】
このように、吊持用ハンガーは、所定の回転抵抗よりも大きい力を加えることによりキャップとの間で相対回転する吊り棒自体が、ハンガー本体に対して着脱自在に装着されているため、ハンガー本体に装着された吊り棒に吊持されている被吊持物のずり落ちを確実に防止するとともに、吊持された被吊持物の吊り棒からの取り外しが容易であるという機能を維持した上で、被吊持物の吊り棒への吊り掛け操作を容易に行うことが可能になり、非常に便利である。
【００６４】
また、回転抵抗機構は、吊り棒と同心で共回りするとともに、キャップが同心で相対回転可能に外嵌される回転抵抗部材を備えて構成され、回転抵抗部材の外周面には弾性変形し得る抵抗片が径方向に向けて突設されている一方、キャップの内周面には抵抗片が当接する抵抗面が形成されているため、キャップをハンガー本体の棒支持部に装着して軸心回りの回転を規制した状態で吊り棒を回すと、吊り棒とキャップとの間に介設された回転抵抗部材の抵抗片が、キャップの内周面に設けられた抵抗面に干渉し、これによって吊り棒の回転に対して所定の回転抵抗を付与することができる。
【００６５】
本発明の請求項２記載の吊持用ハンガーによれば、抵抗片は、回転抵抗部材の外周面から径方向に突設された合成樹脂製の薄片によって形成されている一方、抵抗面はキャップの内周面に全周に亘って等ピッチで形成された内歯によって形成され、薄片は、先端部が内歯間の溝に嵌まり込むように寸法設定されているため、キャップをハンガー本体の棒支持部に装着して軸心回りの回転を規制した状態で吊り棒を回すと、回転抵抗部材の回転に伴って合成樹脂製の薄片が軸心回りに周回し、薄片の先端部がキャップの内周面に形成された内歯の山を乗り越えるときの撓み弾性変形による弾性力で回転抵抗を発生させることができる。そして、薄片が内歯の山を越えると弾性変形が解除されて回転抵抗は消滅し、つぎの内歯の山で回転抵抗を再度生じさせることができる。このように吊り棒の回転によって回転抵抗は断続的に発生し、これによって被吊持物を吊り棒から引き取るときには、軽快なクリック感を得ることができる。
【００６６】
また、薄片の撓みによる弾性力に起因した回転抵抗は、例えば面同士の摺接による摺動抵抗に比べて安定しており、従って、断続して発生する回転抵抗の値を、経時的に平均した平均値で安定したものにすることができる。
【００６７】
本発明の請求項３記載の吊持用ハンガーによれば、棒支持部を腕部材に複数段で設けたため、一つのハンガー本体に複数の被吊持物を、上下方向に順次ずらせた積層状態で吊り掛けることができ、被吊持物に対する収納空間を節約することができる。
【００６８】
本発明の請求項４記載の吊持用ハンガーによれば、滑り止めを、吊り棒の表面に径方向に突設された状態で長手方向に延びるように、周方向等ピッチで突設された突条によって形成したてめ、吊り棒に吊り掛けられた被吊持物は、吊り棒への当接面がずり落ちる方向と直交するように設けられた吊り棒表面の突条に干渉し、これによって被吊持物のずり落ちを確実に防止することができるとともに、被吊持物を引張ることによってこの引張り力を吊り棒が回転するように吊り棒に確実に伝達することができる。
【図面の簡単な説明】
【図１】  本発明に係る多段式ハンガーの一実施形態を示す分解斜視図である。
【図２】  図１に示す多段式ハンガーの組立て斜視図である。
【図３】  後方に位置した図１に示す単位成形品の部分拡大斜視図である。
【図４】  前方に位置した図１に示す単位成形品の部分拡大斜視図である。
【図５】  図２のＡ−Ａ線断面図である。
【図６】  図２のＢ−Ｂ線断面図である。
【図７】  本発明に係るハンギングロッドの一実施形態を示す分解斜視図である。
【図８】  図７に示すハンギングロッドの組立て斜視図である。
【図９】  図８に示すハンギングロッドのＤ−Ｄ線断面図である。
【符号の説明】
１０  多段式ハンガー（吊持用ハンガー）
１  ハンガー枠体              １１  パーティング面
１２  横杆                    １３  縦杆（腕部材）
１４  空洞                    １５  膨出部
１６  Ｕ字溝（棒支持部）      １７  陥没部
１７ａ  化粧板                １８  化粧溝
１９  円錐部                  １９ａ  装着孔
２  単位成形品                ２１  半割れ水平杆
２１１  案内突条              ２１２  嵌入突条
２２  半割れ垂直杆            ２３  凹溝
２４  半割れ膨出部            ２４ａ  半円錐部
２５  半割れ支持突片          ２５１  嵌合溝
２５２  嵌合突片              ２６  中央膨出部
２６ａ  第１中央膨出部
２６ｂ  第２中央膨出部
２７  膨出条                  ２７ａ  第１膨出条
２７ｂ  第２膨出条            ２８  係合突片
２８１  二股状係合突片
２８２，２８４  爪片
２８３  板状係合突片
３  ハンギングロッド（吊り棒）
３１  ロッド本体
３１ａ  突条                  ３１ｂ  キー溝
３２  キャップ                ３２ａ  六角筒部
３２ｂ  天板
３２ｃ  内歯（抵抗面）
３２ｄ  キーホール            ３２ｅ  キー溝
３３  回転抵抗部材            ３３ａ  外筒
３３ｂ  内筒                  ３３ｃ  フランジ
３３ｄ  環状溝                ３３ｅ  抵抗片
３４  結合軸                  ３４ａ  軸本体
３４ｂ  化粧円盤              ３４ｃ  キー突片
３４ｄ  二股部                ３４ｅ  係止突片
３５  環状嵌入空間            ３６  キー片
４  フック部材                ３３  回転抵抗部材
４１  棒体                    ４２  フック
４３  係止円盤
【図１】
0003836951.tif 000002
【図２】
0003836951.tif 000003
【図３】
0003836951.tif 000004
【図４】
0003836951.tif 000005
【図５】
0003836951.tif 000006
【図６】
0003836951.tif 000007
【図７】
0003836951.tif 000008
【図８】
0003836951.tif 000009
【図９】
0003836951.tif 000010